(57)【要約】【課題】  包装容器が展開された状態の全長を抑制する技術を開示する。【解決手段】  一枚の平板を折り曲げて形成される包装容器は、三辺と二辺の端を繋ぐ３個の角部とを備える一対の対向板と、最も長い一対の第１辺のそれぞれに回動可能に連結されている第１中間板と、一方の第２辺に回動可能に連結されている第２中間板と、一方の第３辺に回動可能に連結されている第３中間板と、を備え、前記第２中間板は、前記一対の第２辺の間の距離の半分以上の長さに亘って前記一対の第２辺の間に延在しており、前記第３中間板は、前記一対の第３辺の間の距離の半分以上の長さに亘って前記一対の第３辺の間に延在しており、前記包装容器が前記一枚の平板に展開されている状態では、前記第１中間板と前記第２中間板と前記第３中間板は互いに離間している。【選択図】  図３
2018177338.tif 000002
【特許請求の範囲】
【請求項１】
一枚の平板を折り曲げて形成される包装容器であって、
間隔を有して互いに対向する一対の対向板であって、各対向板が三辺と前記三辺のうちの二辺の端を繋ぐ３個の角部とを備える一対の対向板と、
前記一対の対向板の前記三辺のうち最も長い第１辺であって、互いに対向する一対の前記第１辺の間に配置されており、前記一対の第１辺のそれぞれに回動可能に連結されている第１中間板と、
前記一対の対向板の前記三辺のうち、互いに対向する一対の第２辺の間に配置されており、前記一対の第２辺のうちの一方の第２辺に回動可能に連結されている第２中間板と、
前記一対の対向板の前記三辺のうち、互いに対向する一対の第３辺の間に配置されており、前記一対の第３辺のうちの一方の第３辺に回動可能に連結されている第３中間板と、を備え、
前記第２中間板は、前記一対の第２辺の間の距離の半分以上の長さに亘って前記一対の第２辺の間に延在しており、
前記第３中間板は、前記一対の第３辺の間の距離の半分以上の長さに亘って前記一対の第３辺の間に延在しており、
前記包装容器が前記一枚の平板に展開されている状態では、
前記第１中間板と前記第２中間板と前記第３中間板は互いに離間している、包装容器。
【請求項２】
前記第２辺及び前記第３辺がなす角が直角である、請求項１に記載の包装容器。
【請求項３】
前記包装容器は、さらに、
前記一対の第２辺の間に配置されており、前記一対の第２辺のうちの他方の第２辺に回動可能に連結されている第４中間板と、
前記一対の第３辺の間に配置されており、前記一対の第３辺のうちの他方の第５辺に回動可能に連結されている第５中間板と、を備え、
前記第２中間板は、前記第４中間板に全面に亘って重複しており、
前記第３中間板は、前記第５中間板に全面に亘って重複している、請求項１又は２に記載の包装容器。
【請求項４】
前記包装容器は、さらに、
前記第１中間板の１辺に連結しており、前記包装容器の外側に延出しているタグを備える請求項１から３のいずれか一項に記載の包装容器。
【請求項５】
前記一枚の平板は、複数層のシートが重なって構成されており、
前記複数層のシートは、平面状のシートと特定方向に延びる波形状のシートを備える、請求項１から４のいずれか一項に記載の包装容器。
【発明の詳細な説明】
【技術分野】
【０００１】
本明細書は、包装容器に関する。
【背景技術】
【０００２】
特許文献１には、三角形状のサンドイッチを包装する包装容器が開示されている。図１には包装容器の展開図が示されている。包装容器は、略直角三角形状の１対の側面板４と、前板５と、底面板６と、１対の蓋板１０と、を備える。前板５は、一対の側面板４の斜縁間に連結されている。底面板６は、前板５の下縁に連結されている。各蓋板１０は、側面板４に連結されている。
【先行技術文献】
【特許文献】
【０００３】
【特許文献１】特開２００５−１２６１２７号公報
【発明の概要】
【発明が解決しようとする課題】
【０００４】
上記のような包装容器は、１枚の平板の素材（例えば紙）から包装体が切り出され、包装体を折り曲げることによって作製される。上記の包装容器が展開された状態では、一対の側面板４の間に配置される前板５が、底面板６と長手方向に連結されている。この構成では、包装容器が展開された状態の全長が、前板５の長手方向の長さと、底面板６の長手方向の長さと、を合わせた長さを有する。この結果、包装容器が展開された状態で保管する場合、長い保管スペースを準備しなければならない。
【０００５】
本明細書では、包装容器が展開された状態の全長を抑制する技術を開示する。
【課題を解決するための手段】
【０００６】
本明細書で開示される一枚の平板を折り曲げて形成される包装容器は、間隔を有して互いに対向する一対の対向板であって、各対向板が三辺と前記三辺のうちの二辺の端を繋ぐ３個の角部とを備える一対の対向板と、前記一対の対向板の前記三辺のうち最も長い第１辺であって、互いに対向する一対の前記第１辺の間に配置されており、前記一対の第１辺のそれぞれに回動可能に連結されている第１中間板と、前記一対の対向板の前記三辺のうち、互いに対向する一対の第２辺の間に配置されており、前記一対の第２辺のうちの一方の第２辺に回動可能に連結されている第２中間板と、前記一対の対向板の前記三辺のうち、互いに対向する一対の第３辺の間に配置されており、前記一対の第３辺のうちの一方の第３辺に回動可能に連結されている第３中間板と、を備え、前記第２中間板は、前記一対の第２辺の間の距離の半分以上の長さに亘って前記一対の第２辺の間に延在しており、前記第３中間板は、前記一対の第３辺の間の距離の半分以上の長さに亘って前記一対の第３辺の間に延在しており、前記包装容器が前記一枚の平板に展開されている状態では、前記第１中間板と前記第２中間板と前記第３中間板は互いに離間していてもよい。
【０００７】
上記の構成によると、包装容器が展開された状態で、第１中間板、第２中間板及び第３中間板が、対向板の周辺に配置されているため、第１中間板、第２中間板及び第３中間板のいずれか２枚の中間板を、その長手方向に並んで配置する構成を採用しなくてもよい。これにより、包装容器が展開された状態の全長を抑制することができる。
【０００８】
前記第２辺及び前記第３辺がなす角が直角であってもよい。
【０００９】
前記包装容器は、さらに、前記一対の第２辺の間に配置されており、前記一対の第２辺のうちの他方の第２辺に回動可能に連結されている第４中間板と、前記一対の第３辺の間に配置されており、前記一対の第３辺のうちの他方の第５辺に回動可能に連結されている第５中間板と、を備え、前記第２中間板は、前記第４中間板に全面に亘って重複しており、前記第３中間板は、前記第５中間板に全面に亘って重複していてもよい。この構成では、第２中間板と第４中間板とが重複し、第３中間板と第５中間板とが重複することによって包装容器が補強される。これにより、包装容器の強度を向上させることができる。
【００１０】
前記包装容器は、さらに、前記第１中間板の１辺に連結しており、前記包装容器の外側に延出しているタグを備えていてもよい。この構成では、例えば、包装容器内の収納物に関する情報をタグに記載することができる。
【００１１】
前記一枚の平板は、複数層のシートが重なって構成されており、前記複数層のシートは、平面状のシートと特定方向に延びる波形状のシートを備えていてもよい。
【図面の簡単な説明】
【００１２】
【図１】特許文献１の包装体の展開図を示す。
【図２】第１実施例の包装容器の斜視図を示す。
【図３】第１実施例の包装容器の展開図を示す。
【図４】第１実施例の包装容器の正面図を示す。
【図５】第１実施例の包装容器の平面図を示す。
【図６】第１実施例の包装容器の右側面図を示す。
【図７】第１実施例の包装容器の左側面図を示す。
【図８】第１実施例の包装容器の背面図を示す。
【図９】第１実施例の包装容器の底面図を示す。
【図１０】第１実施例の包装容器を組み立てる途中の図を示す。
【図１１】第１実施例の包装容器が折り畳まれている様子を示す。
【図１２】第１比較例の包装容器の展開図を示す。
【図１３】第２比較例の包装容器の展開図を示す。
【図１４】第２実施例の包装容器の展開図を示す。
【図１５】第２実施例の包装容器が折り畳まれている様子を示す。
【図１６】第３実施例の包装容器の斜視図を示す。
【図１７】第３実施例の包装容器の展開図を示す。
【図１８】第３実施例の包装容器の正面図を示す。
【図１９】第３実施例の包装容器の平面図を示す。
【図２０】第３実施例の包装容器の右側面図を示す。
【図２１】第３実施例の包装容器の左側面図を示す。
【図２２】第３実施例の包装容器の背面図を示す。
【図２３】第３実施例の包装容器の底面図を示す。
【図２４】第３実施例の包装容器が折り畳まれている様子を示す。
【発明を実施するための形態】
【００１３】
（第１実施例）
図２は、三角柱形状の包装容器１００の斜視図を示す。包装容器１００は、様々な商品（例えば、三角形状のサンドイッチ）を収納し、店舗に陳列するために用いられる。図３は、包装容器１００が展開されたブランク１００ａを示す。包装容器１００は、１枚の平板であるブランク１００ａを折り曲げて形成される。包装容器１００は、段ボール等の丈夫な紙で作製されている。段ボールは、例えば、平面状の表面シート及び裏面シートと、これらの間に配置され、特定方向に延びる波形状のシートと、を備える。なお、包装容器１００の材料は、段ボール等の紙に限定されず、樹脂等の紙以外の材料であってもよい。なお、本明細書では、便宜上、図２等の斜視図に示す方向で前後左右上下方向を規定している。なお、図４〜９には、それぞれ、包装容器１００の正面図、平面図、右側面図、左側面図、背面図、底面図が示されている。
【００１４】
図２及び図３に示すように、包装容器１００は、１枚の前板１１０と、２枚の側板１１２、１１４と、２枚の後板１１６、１２０と、２枚の底板１１８、１２２と、を備える。
【００１５】
２枚の側板１１２、１１４は、それぞれ略直角二等辺三角形状を有している。側板１１２、１１４は、間隔を有して互いに対向している。左側板１１２は、前面側の斜辺１１２ａと、後面側の辺１１２ｂと、底面側の辺１１２ｃと、を備える。辺１１２ｂ、１１２ｃは略等しい。辺１１２ｂ、１１２ｃがなす角は直角である。右側板１１４は、前面側の斜辺１１４ａと、後面側の辺１１４ｂと、底面側の辺１１４ｃと、を備える。辺１１４ｂ、１１４ｃは略等しい。辺１１４ｂ、１１４ｃがなす角は直角である。
【００１６】
板１１０、１１６、１１８、１２０、１２２は、それぞれ略矩形状を有している。板１１０、１１６、１１８、１２０、１２２の左右方向の幅は、略同一である。板１１０、１１６、１２０の上下方向の幅は、左右方向の幅よりも大きい。底板１１８、１２２の前後方向の幅は、左右方向の幅よりも大きい。前板１１０の対向する長辺１１０ａ、１１０ｂは、それぞれ左側板１１２の斜辺１１２ａ、右側板１１４の斜辺１１４ａに回転可能に連結されている。このように、本実施例では、前板１１０の対向する長辺１１０ａ、１１０ｂに連結する斜辺１１２ａ、１１４ａは、側板１１２、１１４の三辺のうちの最も長い辺である。これにより、長辺１１０ａ、１１０ｂに連結する辺が、側板１１２、１１４の三辺のうちの最も長い辺ではない構成に比べて、連結部分を長くすることができ、包装容器１００を組み立てた際に各板の間に生じる隙間を小さくすることができる。
【００１７】
前板１１０は、斜辺１１２ａ、１１４ａとの間に配置されている。後板１１６は、左側板１１２の辺１１２ｂに回転可能に連結されている。後板１２０は、右側板１１４の辺１１４ｂに回転可能に連結されている。後板１１６、１２０は、辺１１２ｂ、１１４ｂの間に配置されており、辺１１２ｂ、１１４ｂの間の距離の半分以上の長さに亘って辺１１２ｂ、１１４ｂの間に延在している。底板１１８は、左側板１１２の辺１１２ｃに回転可能に連結されている。底板１２２は、右側板１１４の辺１１４ｃに回転可能に連結されている。底板１１８、１２２は、辺１１２ｃ、１１４ｃの間に配置されており、辺１１２ｃ、１１４ｃの間の距離の半分以上の長さに亘って辺１１２ｃ、１１４ｃの間に延在している。ブランク１００ａの状態では、板１１０、１１６、１１８、１２０、１２２は互いに離間している。
【００１８】
前板１１０及び側板１１２、１１４に亘って（即ち斜辺１１２ａ、１１４ａをまたがって）開口部１１１が形成されている。開口部１１１は、角が丸い正方形状を有する。開口部１１１の４辺は、斜辺１１２ａ、１１４ａに対して４５度傾いて配置されている。開口部１１１は、包装容器１００を正面視又は上面視した場合に、略六角形状を有すると認識され（図４及び図５参照）、包装容器１００を側面視した場合に、略三角形状を有すると認識される（図６及び図７参照）。開口部１１１には、透過性又は半透過性を有するフィルム（図示省略）が張られる。そのため、包装容器１００の外側から包装容器１００内の商品を視認可能である。開口部１１１が前板１１０及び側板１１２、１１４に亘って形成されているために、例えば、開口部が前板１１０のみに形成されている場合等に比べて、商品を見やすくすることができる。
【００１９】
包装容器１００の組み立て方を説明する。底板１１８の後側の辺には、フラップ１３４が回転可能に連結されている。フラップ１３４は、略台形状を有する。底板１１８が辺１１２ｃに沿って直角に折り曲げられ、後板１１６が辺１１２ｂに沿って直角に折り曲げられた後に、フラップ１３４が後板１１６の内側に接着剤で接着される。後板１２０の下側の辺には、フラップ１３６が回転可能に連結されている。フラップ１３６は、略台形状を有する。後板１２０が辺１１４ｂに沿って直角に折り曲げられ、底板１２２が辺１１４ｃに沿って直角に折り曲げられた後に、フラップ１３６が底板１２２の内側に接着剤で接着される。
【００２０】
次いで、後板１２０が後板１１６の外側に重ねられ、底板１２２が底板１１８の外側に重ねられる（図１０参照）。この場合に、後板１１６、１２０の左端が重なっており、後板１１６、１２０の右端が重なっている。底板１１８、１２２の左端が重なっており、底板１１８、１２２の右端が重なっている。また、後板１１６の全面が後板１２０に重なっており、底板１１８の全面と底板１２２の全面とが重なっている。また、前板１１０の下側の短辺１１０ｃに回転可能に連結されているタグ板１３２と、底板１１８の前端１１８ａと、底板１２２の前端１２２ａと、が重なっている。タグ板１３２と前端１１８ａ、１２２ａとは、包装容器１００の外側に延出している。タグ板１３２には、包装容器１００内の商品の名称、価格等の情報を記載することができる。
【００２１】
前板１１０の上側の短辺１１０ｄには、折込板１３０が回転可能に連結されている。折込板１３０は、略三角形状を有している。折込板１３０は、後板１２０の外側に折り込まれ、折込板１３０の下端の差込部１３０ａが、後板１２０の上端の差込口１２０ａに差し込まれる（図８参照）。
【００２２】
図１１には、ブランク１００ａの折り畳み構造が示されている。ブランク１００ａは、図１１に示されるように折り畳まれた状態でブランク１００ａの製造業者から店舗に納品される。図１１では、フラップ１３４は後板１１６に接着されており、フラップ１３６は底板１２２に接着されている。図１１では、後板１１６が折曲線１１６ａに沿って折り曲げられ、底板１２２が折曲線１２２ｂに沿って折り曲げられている。このように、ブランク１００ａがコンパクトに折り畳まれることによって、ブランク１００ａの納品時の利便性が向上する。また、消費者が包装容器１００から商品を取り出した後に、包装容器１００をコンパクトに折り畳むことができるので、消費者の利便性が向上する。
【００２３】
（第１実施例の効果）
図１２、図１３には、それぞれ第１比較例、第２比較例の包装容器が展開されたブランク２００ａ、３００ａが示されている。第１及び第２比較例の包装容器は、本実施例の包装容器１００と同様に三角柱形状を有する。しかし、第１及び第２比較例は、本実施例とは異なり、前板、後板、及び、底板の全てが離間しているわけではない。
【００２４】
図１２に示されるように、第１比較例の包装容器は、１枚の前板２１０と、２枚の側板２１２、２１４と、１枚の後板２１６と、２枚の底板２１８、２２２と、を備える。側板２１２、２１４は、直角三角形状を有する。後板２１６の対向する２辺は、側板２１２、２１４の辺２１２ａ、２１４ａに連結されている。底板２１８の１辺は、側板２１２の辺２１２ｂに連結されている。底板２２２の１辺は、側板２１４の辺２１４ｂに連結されている。前板２１０は、後板２１６に連結されている。第１比較例の包装容器では、包装容器が展開された状態の全長が、後板２１６の長手方向の長さと、前板２１０の長手方向の長さと、を合わせた長さを有する。この結果、包装容器が展開された状態で保管する場合、長い保管スペースを準備しなければならない。一方、本実施例では、図３に示されるように、矩形状の板１１０、１１６、１１８、１２０、１２２が側板１１２、１１４の周辺に配置されているため、板１１０、１１６、１１８、１２０、１２２が、その長手方向に並んで配置されていない。これにより、本実施例では、第１比較例に比べて、包装容器が展開された状態の全長を抑制することができる。
【００２５】
図１３に示されるように、第２比較例の包装容器は、１枚の前板３１０と、２枚の側板３１２、３１４と、２枚の後板３１６、３１８と、１枚の底板３２２と、を備える。側板３１２、３１４は、直角三角形状を有する。前板３１０の対向する２辺は、側板３１２、３１４の斜辺３１２ａ、３１４ａに連結されている。後板３１６の１辺は、側板３１４の辺３１４ｂに連結されている。後板３１８の１辺は、側板３１２の辺３１２ｂに連結されている。底板３２２は、前板３１０に連結されている。このように、底板３２２が、他の板から突出して配置されている。従って、第１比較例の場合と同様に、本実施例では、第２比較例に比べて、包装容器が展開された状態の全長を抑制することができる。
【００２６】
また、図１２に示されるように、第１比較例の包装容器では、前板２１０に連結されている差込部２３０が、底板２２２の差込口２２２ａに差し込まれる。前板２１０に連結されているフラップ２３２の差込部２３２ａが側板２１２の差込口２１２ｄに差し込まれる。前板２１０に連結されているフラップ２３４の差込部２３４ａが側板２１４の差込口２１４ｄに差し込まれる。底板２２２に連結されている差込部２３６が底板２１８の差込口２１８ａに差し込まれる。即ち、第１比較例の包装容器を形成するために４か所の差し込みが必要である。一方、図３に示されるように、本実施例の包装容器１００では、差込部１３０ａを差込口１２０ａに差し込めばよい。即ち、本実施例では、第１比較例に比べて包装容器を形成する作業の負荷を小さくすることができる。
【００２７】
また、図１３に示されるように、第２比較例の包装容器では、前板３１０に連結されているフラップ３３２の差込部３３２ａが後板３１６の差込口３１６ａに差し込まれる。底板３２２に連結されている差込部３３４が後板３１６の差込口３１６ｂに差し込まれる。即ち、第２比較例の包装容器を形成するために２か所の差し込みが必要である。従って、本実施例では、第２比較例に比べて包装容器を形成する作業の負荷を小さくすることができる。
【００２８】
また、図１２及び図１３の第１及び第２比較例では、各側板の１辺に矩形状の板を連結させないので、後板及び底板の双方が二重になるように設計することが困難である。一方、本実施例では、後板１１６、１２０及び底板１１８、１２２の双方が二重になっているため、包装容器１００の強度を向上させることができる。
【００２９】
（第２実施例）
第１実施例とは異なる点を中心に説明する。本実施例の包装容器の外観は、第１実施例の外観（図２、図３〜図９参照）と同様である。図１４は、包装容器が展開されたブランク４００ａを示す。包装容器は、１枚の前板１１０と、２枚の側板１１２、１１４と、２枚の後板４１６、１２０と、２枚の底板４１８、１２２と、を備える。符号１１０、１１２、１１４、１２０、１２２は、図３の符号１１０、１１２、１１４、１２０、１２２と同様である。以下では、図３と同じ参照番号が付されている構成については説明を省略する。
【００３０】
後板４１６は、折曲線を備えない点のみ図３の後板１１６とは異なる。底板４１８は、折曲線４１８ｂを備える点のみ図３の底板１１８とは異なる。前端４１８ａは、図３の前端１１８ａと同様である。後板１２０の下側の辺には、フラップ４３６が回転可能に連結されている。フラップ４３６は、前後方向の幅が広い点がフラップ１３６とは異なる。
【００３１】
図１５には、ブランク４００ａの折り畳み構造が示されている。図１５では、フラップ１３４は後板４１６に接着されており、フラップ４３６は底板１２２に接着されている。また、底板４１８が折曲線４１８ｂに沿って折り曲げられ、底板１２２が折曲線１２２ｂに沿って折り曲げられている。このように、ブランク４００ａがコンパクトに折り畳まれることによって、納品時の利便性及び消費者の利便性が向上する。
【００３２】
本実施例でも、矩形状の板１１０、４１６、４１８、１２０、１２２が側板１１２、１１４の周辺に配置されているので、包装容器が展開された状態の全長を抑制することができる。
【００３３】
（第３実施例）
図１６は、三角柱形状の包装容器５００の斜視図を示す。包装容器５００は、様々な商品（例えば、ピザの１ピース、キッシュ、フライドチキン等の食品、雑貨）を収納し、店舗に陳列するために用いられる。本実施例では、第１及び第２実施例とは異なり、２枚の三角形状の板が、上下方向に配置されている。図１７は、包装容器５００が展開されたブランク５００ａを示す。なお、図１８〜２３には、それぞれ、包装容器５００の正面図、平面図、右側面図、左側面図、背面図、底面図が示されている。
【００３４】
図１６及び図１７に示すように、包装容器５００は、１枚の天板５１４と、２枚の前板５１６、５２０と、２枚の右側板５１８、５２２と、１枚の後板５１０と、１枚の底板５１２と、を備える。
【００３５】
２枚の板５１２、５１４は、それぞれ略直角二等辺三角形状を有している。底板５１２は、天板５１４に対向している。底板５１２は、前面側の辺５１２ａと、右側面側の辺５１２ｂと、後面側の斜辺５１２ｃと、を備える。辺５１２ａ、５１２ｂは略等しい。辺５１２ａ、５１２ｂがなす角は直角である。天板５１４は、前面側の辺５１４ａと、右側面側の辺５１４ｂと、後面側の斜辺５１４ｃと、を備える。辺５１４ａ、５１４ｂは略等しい。辺５１４ａ、５１４ｂがなす角は直角である。
【００３６】
板５１０、５１６、５１８、５２０、５２２は、それぞれ略矩形状を有している。板５１６、５１８の左右方向の幅は、略同一である。板５２０、５２２の左右方向の幅は、略同一である。板５１０の左右方向の幅は、板５１６、５２０（又は５１８、５２２）の左右方向の幅の合計よりも大きい。後板５１０の対向する長辺５１０ａ、５１０ｂは、それぞれ底板５１２の斜辺５１２ｃ、天板５１４の斜辺５１４ｃに回転可能に連結している。即ち、後板５１０は、斜辺５１２ｃと斜辺５１４ｃとの間に配置される。前板５１６は、底板５１２の辺５１２ａに回転可能に連結している。前板５２０は、天板５１４の辺５１４ａに回転可能に連結している。前板５１６、５２０は、辺５１２ａ、５１４ａの間に配置される。右側板５１８は、底板５１２の辺５１２ｂに回転可能に連結している。右側板５２２は、天板５１４の辺５１４ｂに回転可能に連結している。右側板５１８、５２２は、辺５１２ｂ、５１４ｂの間に配置されている。
【００３７】
包装容器５００の組み立て方を説明する。右側板５１８の前側の辺には、フラップ５３４が回転可能に連結されている。フラップ５３４は、略台形状を有する。右側板５１８が辺５１２ｂに沿って直角に折り曲げられ、前板５１６が辺５１２ａに沿って直角に折り曲げられた後に、フラップ５３４が前板５１６の内側に接着剤で接着される。前板５２０の右側の辺には、フラップ５３６が回転可能に連結されている。フラップ５３６は、略台形状を有する。前板５２０が辺５１４ａに沿って直角に折り曲げられ、右側板５２２が辺５１４ｂに沿って直角に折り曲げられた後に、右側板５２２がその内側の前端５２２ａに塗布された接着剤でフラップ５３６に接着される。
【００３８】
次いで、前板５２０が前板５１６の外側に重ねられ、右側板５２２が右側板５１８の外側に重ねられる（図１６参照）。この場合に、前板５１６、５２０は、包装容器５００の上下方向における中央付近でその一部が重なっており、右側板５１８、５２２は、当該中央付近でその一部が重なっている。また、前板５１６に回転可能に連結されているフラップ５３２と、右側板５１８に回転可能に連結されているフラップ５３５とが内側に折り込まれる。そして、前板５１６の右上端の差込部５１６ａが、前板５２０の右下端の差込口５２０ａに差し込まれる。
【００３９】
図２４には、ブランク５００ａの折り畳み構造が示されている。図２４では、フラップ５３４は前板５１６に接着されており、前端５２２ａはフラップ５３６に接着されている。図２４では、右側板５１８が折曲線５１８ａに沿って折り曲げられ、右側板５２２が折曲線５２２ｂに沿って折り曲げられている。このように、ブランク５００ａがコンパクトに折り畳まれることによって、納品時の利便性及び消費者の利便性が向上する。
【００４０】
本実施例でも、矩形状の板５１０、５１６、５１８、５２０、５２２が三角形状の板５１２、５１４の周辺に配置されているので、包装容器５００が展開された状態の全長を抑制することができる。
【００４１】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
【００４２】
（変形例）
（１）第１実施例では、側板１１２、１１４は、３個の角が尖った略直角二等辺三角形状を有しているが、変形例では、例えば、各角が丸くなっていてもよい。その場合に、板１１０、１１６、１１８、１２０、１２２の間に隙間が生じていてもよい。一般的には、「各対向板」が三辺と三辺のうちの二辺の端を繋ぐ３個の角部とを備えていればよい。なお、第２及び第３実施例でも同様の変形例を採用可能である。
【００４３】
（２）第１実施例では、側板１１２、１１４の形状は、略直角三角形状に限られず、全ての角が鋭角である略二等辺三角形状、略鈍角三角形状等を含む。側板１１２、１１４の形状は、略正三角形状であってもよい。一般的には、「第１辺」が三辺のうち最も長ければよい。この場合、最も長い辺が２辺以上あってもよい（即ち、「第１辺」を含む２辺以上が同じ長さであり、かつ、最も長くてもよい）。なお、第２及び第３実施例でも同様の変形例を採用可能である。
【００４４】
（３）第１実施例では、後板１１６、１２０のうちの一方を省略可能であり、底板１１８、１２２のうちの一方を省略可能である。即ち、「第４中間板」、「第５中間板」のそれぞれは省略可能である。なお、第２実施例でも同様の変形例を採用可能である。
【００４５】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００４６】
１０：蓋板
１００、５００：包装容器
１００ａ、２００ａ、３００ａ、４００ａ、５００ａ：ブランク
１１０、２１０、３１０、５１０、５１６、５２０：前板
１１０ａ〜１１０ｄ、１１２ａ〜１１２ｃ、１１４ａ〜１１４ｃ、２１２ａ、２１２ｂ、２１４ａ、２１４ｂ、３１２ａ、３１２ｂ、３１２ｃ、３１４ａ、３１４ｂ、５１０ａ、５１２ａ〜５１２ｃ、５１４ａ〜５１４ｃ：辺
１１１：開口部
１１２、１１４、２１２、２１４、３１２、３１４、５１８、５２２：側板
１１６、１２０、２１６、３１６、３１８、４１６：後板
１１６ａ、１２２ｂ、４１８ｂ、５１８ａ、５２２ｂ：折曲線
１１８、２１８、２２２、４１８、５１２：底板
１１８ａ、１２２ａ、４１８ａ、５２２ａ：前端
１２０ａ、２１２ｄ、２１４ｄ、２１８ａ、２２２ａ、３１６ａ、３１６ｂ、５２０ａ：差込口
１２２、３２２：底板
１３０：折込板
１３０ａ、２３０、２３２ａ、２３４ａ、２３６、３３２ａ、３３４、５１６ａ：差込部
１３２：タグ板
１３４、１３６、２３２、２３４、３３２、４３６、５３２、５３４、５３５、５３６：フラップ
５１４：天板
【図１】
2018177338.tif 000003
【図２】
2018177338.tif 000004
【図３】
2018177338.tif 000005
【図４】
2018177338.tif 000006
【図５】
2018177338.tif 000007
【図６】
2018177338.tif 000008
【図７】
2018177338.tif 000009
【図８】
2018177338.tif 000010
【図９】
2018177338.tif 000011
【図１０】
2018177338.tif 000012
【図１１】
2018177338.tif 000013
【図１２】
2018177338.tif 000014
【図１３】
2018177338.tif 000015
【図１４】
2018177338.tif 000016
【図１５】
2018177338.tif 000017
【図１６】
2018177338.tif 000018
【図１７】
2018177338.tif 000019
【図１８】
2018177338.tif 000020
【図１９】
2018177338.tif 000021
【図２０】
2018177338.tif 000022
【図２１】
2018177338.tif 000023
【図２２】
2018177338.tif 000024
【図２３】
2018177338.tif 000025
【図２４】
2018177338.tif 000026